(57)【要約】【課題】免震基礎構造の簡便な構築方法を提供することを課題とする。【解決手段】捨てコンクリート上に、アンカー部材を配置するとともに、下端筋を配筋する工程、  前記アンカー部材に柱筋を配筋する工程、  上端筋と免震基礎筋を配筋する工程、  前記アンカー部材の上方に免震装置の下側ベースプレートを設置し、前記下側ベースプレートが備えるアンカーボルトと前記アンカー部材とを固定する工程、  コンクリートを打設する工程、  をこの順で備える免震基礎構造の構築方法。【選択図】図６
2018003499.tif 000002
【特許請求の範囲】
【請求項１】
捨てコンクリート上に、アンカー部材を配置するとともに、下端筋を配筋する工程、
前記アンカー部材に柱筋を配筋する工程、
上端筋と免震基礎筋を配筋する工程、
前記アンカー部材の上方に免震装置の下側ベースプレートを設置し、前記下側ベースプレートが備えるアンカーボルトと前記アンカー部材とを固定する工程、
コンクリートを打設する工程、
をこの順で備えることを特徴とする免震基礎構造の構築方法。
【請求項２】
前記アンカーボルトと前記アンカー部材とが、前記上端筋よりも下方で固定されることを特徴とする請求項１に記載の免震基礎構造の構築方法。
【請求項３】
前記アンカーボルトと前記アンカー部材とが、溶接により固定されることを特徴とする請求項１または２に記載の免震基礎構造の構築方法。
【請求項４】
前記アンカー部材が、前記下側ベースプレートの高さを調整して支持する高さ調整治具を備えることを特徴とする請求項１〜３のいずれかに記載の免震基礎構造の構築方法。
【発明の詳細な説明】
【技術分野】
【０００１】
本発明は、免震基礎構造の構築方法に関する。
【背景技術】
【０００２】
免震装置を介して建物を支持する免震構造が知られている。免震装置は、滑り支承、転がり支承、積層ゴム等からなるアイソレータと、オイルダンパー、鋼材ダンパー、鉛ダンパー等からなるダンパーとに大別される。オイルダンパーを除く免震装置は、通常、下側ベースプレートと上側ベースプレートとを有し、下側ベースプレートが鉄筋コンクリート造の基礎の上に設置され、上側ベースプレートの上に構造物が建築される。構造物は、免震装置により地面と分離して建てられており、地震時の地面の揺れを上側ベースプレート上方の構造物に減衰して伝えることにより、地震時の被害を抑えるものである。
【０００３】
特許文献１には、床版上に免震基礎を有し、免震装置の下部フランジプレートが免震基礎上に設置され、下部フランジプレートのスタッドアンカーが免震基礎内に埋め込まれている免震構造が提案されている。免震基礎を構築するための鉄筋は、アンカーの位置を床版上に墨出しして、アンカー位置と干渉しないように配筋されている。
【０００４】
ここで、大型の構造物では、下側ベースプレートを強固に固定するために、下側ベースプレートを固定するためのアンカーボルトの長さが１ｍ以上に達する場合がある。アンカーボルトが長くなると、位置決めのための墨出しを、基礎梁上ではなく捨てコンクリート上に行う必要がある。大型の構造物では、梁せいが２ｍ以上に及ぶこともあり、２ｍ以上下方に墨出しされた目印に対して、目視で干渉しないように配筋することは困難である。また、鉄筋とアンカーボルトが干渉すると、配筋後に鉄筋をずらさねばならず、非常に手間であった。
【先行技術文献】
【特許文献】
【０００５】
【特許文献１】特開２０１１−１２４６４号公報
【発明の概要】
【発明が解決しようとする課題】
【０００６】
本発明は、免震基礎構造の簡便な構築方法を提供することを課題とする。
【課題を解決するための手段】
【０００７】
１．捨てコンクリート上に、アンカー部材を配置するとともに、下端筋を配筋する工程、
前記アンカー部材に柱筋を配筋する工程、
上端筋と免震基礎筋を配筋する工程、
前記アンカー部材の上方に免震装置の下側ベースプレートを設置し、前記下側ベースプレートが備えるアンカーボルトと前記アンカー部材とを固定する工程、
コンクリートを打設する工程、
をこの順で備えることを特徴とする免震基礎構造の構築方法。
２．前記アンカーボルトと前記アンカー部材とが、前記上端筋よりも下方で固定されることを特徴とする１．に記載の免震基礎構造の構築方法。
３．前記アンカーボルトと前記アンカー部材とが、溶接により固定されることを特徴とする１．または２．に記載の免震基礎構造の構築方法。
４．前記アンカー部材が、前記下側ベースプレートの高さを調整して支持する高さ調整治具を備えることを特徴とする１．〜３．のいずれかに記載の免震基礎構造の構築方法。
【発明の効果】
【０００８】
本発明は、捨てコンクリート上にアンカー部材を配置し、このアンカー部材と、免震装置の下側ベースプレートが備えるアンカーボルトとを固定することにより、アンカー部材を下側ベースプレートのアンカーとして用いることができる。アンカーボルトは、アンカー部材と接続できる長さであればよいため、アンカーボルトの長さを短くすることができ、アンカーボルトとの干渉を考慮しながら行う配筋作業を大幅に簡略化することができるため、施工性に優れ、短工期と工事費の圧縮が可能である。
アンカー部材は、柱筋により強固に固定されているため、生コンクリートを打設する際に、その圧力に押されて動くことがない。正確な位置に固定されたアンカー部材と、下側ベースプレートのアンカーボルトとを固定するため、下側ベースプレートを正確な位置に設置することができる。
アンカーボルトとアンカー部材とを、上端筋より下方で固定することにより、下側ベースプレートを基礎に強固に固定することができる。アンカー部材とアンカーボルトとの固定は、上端筋の下方で行われるが、上端筋の直下であるため、鉄筋の下に潜り込む必要がなく、上から手を伸ばして施工することができ、作業性に優れる。
アンカー部材に、下側ベースプレートの傾きを補正する高さ調整機構を設けることにより、下側ベースプレートを水平に設置することができ、免震装置を設計通りに設置することができる。
【図面の簡単な説明】
【０００９】
【図１】本発明の免震基礎構造の構築方法の工程を説明する図。
【図２】アンカー部材を配置した状態で下端筋を配筋した例を示す図。
【図３】本発明の免震基礎構造の構築方法の工程を説明する図。
【図４】アンカー部材に柱筋を配筋した例を示す図。
【図５】本発明の免震基礎構造の構築方法の工程を説明する図。
【図６】本発明の免震基礎構造の構築方法の工程を説明する図。
【図７】免震基礎筋上に下側ベースプレートを載置した状態を示す図。
【図８】本発明の免震基礎構造の構築方法の工程を説明する図。
【発明を実施するための形態】
【００１０】
本発明は、捨てコンクリート上に、アンカー部材を配置するとともに、下端筋を配筋する工程、
前記アンカー部材に柱筋を配筋する工程、
上端筋と免震基礎筋を配筋する工程、
前記アンカー部材の上方に免震装置の下側ベースプレートを設置し、前記下側ベースプレートが備えるアンカーボルトと前記アンカー部材とを固定する工程、
コンクリートを打設する工程、
をこの順で備える免震基礎構造の構築方法に関する。
【００１１】
以下、本発明の免震基礎構造の構築方法を、工程順に説明する。
「捨てコンクリート上に、アンカー部材を配置するとともに、下端筋を配筋する工程」
基礎の底面に設けられた捨てコンクリートＧ上に、アンカー部材１を配置し、下端筋２を配筋する（図１、２）。
アンカー部材１は、捨てコンクリートＧの上に固定されるベース部材１１と、ベース部材から立設する複数の鉛直部材１２と、これら鉛直部材の頂部同士を連結して水平に延びる水平部材１３と、鉛直部材同士を連結して斜めに延びるブレース１４とを備える。ベース部材１１、鉛直部材１２、水平部材１３、ブレース１４は、山形鋼からなる。
下端筋２は、アンカー部材のベース部材１１の上方に配筋する。下端筋を、アンカー部材のベース部材の上方に配筋することにより、アンカー部材１を水平に保つことができる。
【００１２】
「前記アンカー部材に柱筋を配筋する工程」
アンカー部材の周囲に、柱筋を配筋する（図３、４）。なお、図４に示す図は、柱筋の他に、下端筋と上端筋との中間高さ部分に足場板を支える架台が設けられており、この架台の上に足場が置かれている。
アンカー部材１は、下端筋２と接続された柱筋３が配筋されることにより、周辺の施工時に人やモノが接触したり、生コンクリートを打設する際の流動する生コンクリートの圧力が加わったりしても、動いたり傾いたりしないように、設計した箇所に強固に固定される。また、柱筋３を配筋することにより、アンカー部材１が傾いたり、揺れたりすることを防止することができ、鉛直方向の精度を高く保つことができる。
【００１３】
「上端筋と免震基礎筋を配筋する工程」
上端筋と免震基礎筋、また、必要に応じてその他フーチング筋等（図示せず）を配筋する（図５）。
上端筋４と免震基礎筋５は、この後に設置する下側ベースプレートが備えるアンカーボルトと干渉しないように配筋する。免震基礎筋５とは、図８中の免震基礎部５０に配筋される水平方向鉄筋、及び、水平方向鉄筋と直交方向に配筋されるせん断補強鉄筋等を意味する。
上端筋４と免震基礎筋５とを、アンカーボルトと干渉しない位置に配筋する方法は特に制限されないが、アンカー部材の水平部材に、アンカーボルトの位置を示すガイド鉄筋を設け、このガイド鉄筋により上端筋と免震基礎筋の位置を定める方法が挙げられる。水平部材は、上端筋の直下に位置するため、捨てコンクリート上の墨出しと比較して、正確に配筋することができる。
【００１４】
「前記アンカー部材の上方に免震装置の下側ベースプレートを設置し、前記下側ベースプレートが備えるアンカーボルトと前記アンカー部材とを固定する工程」
下側ベースプレート６を、免震基礎筋５上に載置し、アンカーボルト６１とアンカー部材１とを固定する（図６、７）。
先の工程で、上端筋４と免震基礎筋５とは、下側ベースプレート６が備えるアンカーボルト６１と干渉しないように配筋されているため、下側ベースプレート６を所定の箇所に容易に載置することができる。また、アンカーボルト６１は、アンカー部材１の水平部材１３に達する長さを有せば十分であり、下端筋２近辺まで延びる長いアンカーボルトは必要でない。本発明で使用する下側ベースプレート６はアンカーボルト６１が短いため、長いアンカーボルトを備える従来のベースプレートと比較して、軽量で小型である。そのため、本発明で使用する下側ベースプレート６は、重機で揚重することなく、作業員の手で運搬して所定の位置に載置することができる。
【００１５】
次いで、アンカーボルト６１とアンカー部材１とを固定する。アンカーボルト６１とアンカー部材１とを固定する方法は特に制限されず、溶接、ボルトとナット、クランプ等を用いることができる。これらの中で、溶接による固定が、アンカーボルト６１をアンカー部材１に強固に固定できるため好ましい。また、この固定作業は、上端筋４の直下で行われる。そのため、上端筋４の隙間から手を伸ばして作業を行うことができ、上端筋４の下に潜り込んで作業する必要がないため、作業性に優れる。
また、アンカーボルト６１とアンカー部材１とを固定する前に、高さ調整治具（図示せず）により、下側ベースプレート６の傾きを調整し、水平となるように載置する。高さ調整治具は特に限定されないが、例えば、レベル調整ネジを備えた棒状の支持部からなる高さ調整治具を挙げることができる。この高さ調整治具は、下側ベースプレート、またはアンカー部材の四隅に設置される。
【００１６】
「コンクリートを打設する工程」
免震基礎を構成するコンクリートを打設する（図８）。
免震基礎は、基礎部１０と、基礎部の上面から突出した免震基礎部５０等からなる。コンクリートは、公知の方法で打設することができる。
【符号の説明】
【００１７】
Ｇ    捨てコンクリート
１    アンカー部材
１１  ベース部材
１２  鉛直部材
１３  水平部材
１４  ブレース
２    下端筋
３    柱筋
４    上端筋
５    免震基礎筋
６    下側ベースプレート
６１  アンカーボルト
１０  基礎部
５０  免震基礎部
【図１】
2018003499.tif 000003
【図２】
2018003499.tif 000004
【図３】
2018003499.tif 000005
【図４】
2018003499.tif 000006
【図５】
2018003499.tif 000007
【図６】
2018003499.tif 000008
【図７】
2018003499.tif 000009
【図８】
2018003499.tif 000010